(57)【要約】【課題】フォーマとフィルムとの間で生じる摩擦抵抗を抑え、包材の片寄りや蛇行を抑えるとともに、省エネルギー化を図る。【解決手段】フォーマ４は、帯状に連続するフィルムｆを、フィルムｆが連続する方向に送りながら略筒状に成形させる。フォーマ４は、筒状をなした筒状部４１と、筒状部４１の軸方向一端部から筒状部４１の径方向外方に向かって広がって形成したガイドスカート４２と、ガイドスカート４２において筒状部４１の両側にそれぞれ設けたエア吹出し用の連通孔５１と、連通孔５１からガイドスカート４２の表面と表面に沿って送られるフィルムｆとの間に気体を送り込む配管５２と、を備える。【選択図】図２
2017081573.tif 000002
【特許請求の範囲】
【請求項１】
帯状に連続する包材を送りながら略筒状に成形させるフォーマであって、
筒状をなした筒状部と、
前記筒状部の一端部から前記筒状部の径方向外方に向かって広がって形成されていて前記包材を前記筒状部に向けて走行させるガイド部と、
前記ガイド部において前記筒状部の両側で前記包材の幅方向両側にそれぞれ形成された連通孔と、
前記連通孔から前記ガイド部の表面と包材との間に気体を送り込む気体供給部と、
を備えることを特徴とするフォーマ。
【請求項２】
前記連通孔は、前記筒状部の両側の前記ガイド部において前記包材の幅方向両側に向けてそれぞれ複数個形成され、
複数の前記気体供給部で複数の前記連通孔のそれぞれに供給する前記気体の流量を個別に調整する流量調整部をさらに備えている請求項１に記載のフォーマ。
【請求項３】
前記ガイド部に送られる前記包材の幅方向の片寄りを検出するセンサと、
前記センサによる前記包材の片寄りの検出結果に基づいて前記流量調整部により前記気体の流量を制御して前記包材の片寄りを矯正する制御部と、
をさらに備えている請求項２に記載のフォーマ。
【請求項４】
前記ガイド部において、前記筒状部に対して前記包材の幅方向両側にそれぞれ設けられていて前記ガイド部と包材との間を負圧状態とする負圧発生部をさらに備えている請求項１から３のいずれか１項に記載のフォーマ。
【請求項５】
前記連通孔に、前記気体供給部と前記負圧発生部とを選択的に接続する切換部をさらに備えている請求項４に記載のフォーマ。
【請求項６】
帯状に連続する包材を略筒状に成形し、袋体を製造する縦形製袋機であって、
請求項１〜５のいずれか１項に記載のフォーマと、
前記フォーマの下方に設けられ、前記フォーマによって筒状に成形された前記包材を筒状に成形する製袋チューブと、
前記製袋チューブ内で前記包材の幅方向両端部を重ね合わせてシールする縦シール部と、
前記包材を幅方向にシールする横シール部と、
を備えることを特徴とする縦形製袋機。
【発明の詳細な説明】
【技術分野】
【０００１】
本発明は、帯状に連続するフィルムを筒状に成形するフォーマ、およびフォーマを備えた縦形製袋機に関する。
【背景技術】
【０００２】
特許文献１に開示されているように、縦形製袋充填機では、帯状に連続するフィルム（包材）を製袋筒に沿って搬送して略筒状に成形した後、フィルムの幅方向両端部を、フィルムが連続する方向に沿って縦シールする。筒状に形成されたフィルムは、繰り出しベルトによって製袋筒に沿って繰り出され、その底部がフィルムの幅方向に横シールされる。そして、筒状のフィルムの上部開口から製袋筒を通して内容物を充填した後、上部開口を横シールして内容物を充填した密封袋を製造する。
【０００３】
このような縦形製袋充填機において、帯状に連続するフィルムを略筒状に成形するには、フォーマが用いられている。特許文献２に開示されているように、フォーマは、円筒部と、円筒部の上端から外周側に向かって斜め下方に延びるガイド部（エリ部）と、を備えている。このようなフォーマは、帯状のフィルムがガイド部の外周側の下端部からガイド部の表面に沿って斜め上方に送られ、円筒部の上端で円筒部の内側に折り返されることで、フィルムを略円筒状に成形する。
【０００４】
特許文献２に開示された構成では、円筒部の上端とガイド部との境界部分に形成した孔からエアを吹き出している。このエアによってフィルムがガイド部から円筒部に折り返される部分で生じる摩擦抵抗を低減し、円筒部の上端で折り返した後にフィルムに皺が生じるのを抑えている。
【先行技術文献】
【特許文献】
【０００５】
【特許文献１】特開２００８−３７４２７号公報
【特許文献２】特開平６−２９３３０４号公報
【発明の概要】
【発明が解決しようとする課題】
【０００６】
ところで、縦形製袋充填機では、フォーマの上流側から送るフィルムはフォーマとの間の摩擦抵抗によりフィルムの送り方向に直交する幅方向に片寄ったり蛇行してしまうことがある。フィルムの幅方向においてフォーマとの間で摩擦抵抗にアンバランスがあると、フィルムの送り速度がフィルムの幅方向で均一でなくなり、片寄りや蛇行を生じる。
【０００７】
これに対し、特許文献２に開示されたフォーマでは、エア吹出し口がフォーマの襟部と円筒部との境目の折り返し部にしかなく、しかもフィルムの幅方向の中央部のみに設置されているため、エアの吹き出しによるフィルムの片寄りや蛇行を十分抑えることができなかった。また、フォーマとフィルムとの間で生じる摩擦抵抗により、フィルムを送るための動力にロスが生じる。このため、省エネルギー化という観点でも、フォーマとフィルムとの間で生じる摩擦抵抗を抑えることが望まれている。
【０００８】
本発明は、このような課題に鑑みてなされたものであり、フォーマと包材との間で生じる摩擦抵抗を抑えて包材の片寄りや蛇行を矯正できるようにしたフォーマ、およびそれを備えた縦形製袋機を提供することを目的とする。
【課題を解決するための手段】
【０００９】
本発明は、上記課題を解決するため、以下の手段を採用する。
本発明に係るフォーマは、帯状に連続する包材を送りながら略筒状に成形させるフォーマであって、筒状をなした筒状部と、筒状部の一端部から筒状部の径方向外方に向かって広がって形成されていて包材を筒状部に向けて走行させるガイド部と、ガイド部において筒状部の両側で包材の幅方向両側にそれぞれ形成された連通孔と、連通孔から前記ガイド部の表面と包材との間に気体を送り込む気体供給部と、を備えることを特徴とする。
本発明では、筒状部の両側で径方向外側に広がるガイド部において、包材の幅方向両側にそれぞれ設けた連通孔から、ガイド部の表面と包材との間に気体を送り込むことで、包材とガイド部との間に生じる摩擦抵抗を包材の幅方向の全体で抑えることができる。これにより、包材の幅方向における摩擦抵抗の分布のばらつきも生じにくくなり、包材を送るときに、包材が幅方向に片寄ったり蛇行したりするのを抑えることができる。また、包材を搬送する力に対する抵抗が減るので、包材を搬送するための駆動力が少なくて済む。
【００１０】
また、本発明に係るフォーマでは、連通孔は、筒状部の両側のガイド部において包材の幅方向両側に向けてそれぞれ複数個形成され、複数の気体供給部で複数の連通孔のそれぞれに供給する気体の流量を個別に調整する流量調整部をさらに備えていることが好ましい。
複数の連通孔から供給する気体の流量を個別に調整することで、よりきめ細やかに摩擦抵抗の分布の均一化を図ることができる。
【００１１】
また、本発明に係るフォーマは、ガイド部に送られる包材の幅方向の片寄りを検出するセンサと、センサによる包材の片寄りや蛇行の検出結果に基づいて流量調整部により気体の流量を制御して包材の片寄りを矯正する制御部と、をさらに備えていてもよい。
センサで包材の片寄りを検出したときに、連通孔から吹き出す気体の流量を自動的に調整することで、包材の片寄りや蛇行を確実に抑えることができる。
【００１２】
また、本発明に係るフォーマは、ガイド部において筒状部に対して包材の幅方向両側にそれぞれ設けられていてガイド部と包材との間を負圧状態とする負圧発生部をさらに備えていてもよい。
負圧発生部によってガイド部の表面と包材との間を負圧状態とすることで、ガイド部材と包材との間の摩擦抵抗を包材の幅方向で部分的に増やし、包材の片寄りや蛇行をより効果的に抑えることができる。
【００１３】
また、本発明に係るフォーマは、連通孔に、気体供給部と負圧発生部とを選択的に接続する切換部をさらに備えていてもよい。
気体供給部と負圧発生部とを選択的に接続する切換部を設けることで、ガイド部材と包材との間の摩擦抵抗の調整の自由度を高めることができる。
【００１４】
本発明に係る縦形製袋機は、帯状に連続する包材を略筒状に成形し、袋体を製造する縦形製袋機であって、上述した何れかのフォーマと、フォーマの下方に設けられ、フォーマによって筒状に成形された包材を筒状に成形する製袋チューブと、製袋チューブ内で包材の幅方向両端部を重ね合わせてシールする縦シール部と、包材を幅方向にシールする横シール部と、を備えることを特徴とする。
本発明に係る縦形製袋機では、包材の幅方向における摩擦抵抗の分布を調整して包材が幅方向に片寄ったり蛇行するのを抑えることができる。また、包材を送る力に対する抵抗が減るので、包材を送るための駆動力が小さくて済み省エネルギー化を図ることができる。
【発明の効果】
【００１５】
本発明に係るフォーマおよび縦形製袋機によれば、筒状部の両側のガイド部にそれぞれ設けた連通孔から、ガイド部と包材との間に気体を送り込むことでフォーマのガイド部と包材との間で生じる摩擦抵抗を抑えて包材の片寄りや蛇行を矯正するとともに、包材走行時の摩擦抵抗が小さくなるので省エネルギー化を図ることができる。
【図面の簡単な説明】
【００１６】
【図１】本発明の第一実施形態による縦形製袋機の全体構成を示す模式図である。
【図２】図1に示す縦形製袋機に形成したフォーマを示す正面図である。
【図３】図２に示すフォーマの側面図である。
【図４】図２に示すフォーマの平面図である。
【図５】第二実施形態による縦形製袋機におけるフォーマを示す正面図である。
【発明を実施するための形態】
【００１７】
以下、添付図面を参照して、本発明の各実施形態によるフォーマおよびそれを備えた縦形製袋充填機を説明する。しかし、本発明はこれらの実施形態のみに限定されるものではない。
（第１の実施形態）
図１は、本発明の第一実施形態に係る縦形製袋充填機（縦形製袋機）の全体構成を示す模式図である。
図１に示す縦形製袋充填機１は、帯状に連続するフィルムｆから袋体Ｆを製袋するもので、製袋チューブ２と、フォーマ４と、繰出しベルト５と、縦シーラ（縦シール部）６と、横シーラ（横シール部）７と、を備えている。
【００１８】
製袋チューブ２は上下方向に延びる筒状であり、その上部側の外周面にフォーマ４が形成されている。フォーマ４の内周面と製袋チューブ２の外周面との間には、フィルムｆが挿通される平面視略円環状の空間が形成されている。この製袋チューブ２はフォーマ４よりも上方に向かって突出しており、その上端には袋体Ｆ内に充填する内容物を供給するホッパ（図示せず）が設けられている。
【００１９】
フォーマ４は製袋チューブ２の上端近傍に設けられ、ロール８から繰り出される帯状のフィルムｆを筒状に成形させて、製袋チューブ２との間の円環状の隙間に送り込む。
繰出しベルト５は、製袋チューブ２の径方向に対向して一対が設けられている。繰出しベルト５は、フォーマ４と製袋チューブ２の外周面との間の円環状の隙間に送り込まれたフィルムｆを、エアで吸着しながら下方に向かって搬送する。
【００２０】
縦シーラ６は、製袋チューブ２の外周面に設けられている。筒状に成形されて製袋チューブ２の外周面に沿って下方に間欠搬送されるフィルムｆは、その幅方向両端部が製袋チューブ２から突出した状態で合掌するように重ね合わされている。縦シーラ６は、フィルムｆの幅方向両端部同士を重ね合わせた部分を挟んで押圧し、上下方向に連続して加熱シールして溶着する。これにより、フィルムｆの幅方向両端部が溶着されて筒状に連続する筒状体ｆ’が形成される。
【００２１】
横シーラ７は、製袋チューブ２の下方に設けられている。横シーラ７は、筒状体ｆ’を幅方向に連続して溶着する。横シーラ７は、袋体Ｆの底部と頂部に相当する部分をそれぞれ溶着する。さらに、横シーラ７には筒状体ｆ’を幅方向に切断するカッタ（図示せず）が設けられ、このカッタによって筒状体ｆ’を横シーラ７で溶着した袋体Ｆの底部シール部と頂部シール部の間で切断することで分断し、袋体Ｆを形成する。
【００２２】
図２から図４は、第一実施形態における縦形製袋充填機１のフォーマ４を示す図である。  図２〜図４に示すように、フォーマ４は、製袋チューブ２の上端部近傍に設けた筒状部４１と、筒状部４１の略涙滴形状をなす上端部４１ｔで折り曲げられて外周側に向かって斜め下方に広がるように延びるガイドスカート（ガイド部）４２と、を一体に形成している。
筒状部４１は平断面視円筒状で、その径方向一端側に上下方向に連続するスリット４１ｓが形成されている。
図２に示すように、筒状部４１の上端部４１ｔは斜めに形成された略涙滴形状であり、径方向下端部のスリット４１ｓの上端位置４１ｔ１から、径方向他端側の頂部４１ｔ２に向かって、漸次高くなるように稜線が形成されている。
【００２３】
図３、図４に示すように、ガイドスカート４２は、略涙滴形状の上端部４１ｔの上流側に延びる背面ガイド部４３と、上端部４１ｔの両側部に広がる一対の側面ガイド部４４と、を一体に形成している。
背面ガイド部４３は、筒状部４１の上端部４１ｔにおいて径方向他端側の頂部４１ｔ２から斜め下方に延びる略二等辺三角形状の平面をなしている。
【００２４】
図２、図４において、側面ガイド部４４は、筒状部４１を挟んで、背面ガイド部４３の幅方向両側にそれぞれ連続して形成されている。両側の側面ガイド部４４は、背面ガイド部４３の両側の稜線部４３ｒからスリット４１ｓに向かって凸曲面状に対称形状で延びている。各側面ガイド部４４は、筒状部４１の上端部４１ｔ側の内縁部４４ａから外縁部４４ｂまでの長さが、背面ガイド部４３側からスリット４１ｓ側に向かって漸次小さくなるよう形成され、しかも各側面ガイド部４４はスリット４１ｓに向けて内向きに次第に傾斜している。
【００２５】
このようなガイドスカート４２において、ロール８（図１参照）側から送られてくるフィルムｆは、背面ガイド部４３の下端部４３ｂから稜線部４３ｒに向かって斜め上方に向かって送られた後、背面ガイド部４３の両側の稜線部４３ｒを越えると、両側の側面ガイド部４４に沿って筒状に湾曲するよう成形される。
さらに、フィルムｆは、筒状部４１の上端部４１ｔで下方に向かって折り返されることで、平面視略円筒状に成形される。このようにして、フォーマ４は、帯状のフィルムｆを筒状に成形させる。
【００２６】
フォーマ４には、各側面ガイド部４４において板厚方向に貫通する連通孔５１がエア吹出し口として形成されている。連通孔５１は、例えば筒状部４１の上端部４１ｔ側の内縁部４４ａから外縁部４４ｂに向かって、所定間隔を空けて複数個形成されている。図に示す例では、複数の連通孔５１は稜線部４３ｒと略平行に直線状に配列されているが非直線状でもよく、例えば円弧状等に配列されていてもよい。
これら連通孔５１は各側面ガイド部４４上におけるフィルムｆを降下させるなだらかな凸曲面部分で稜線部４３ｒに沿った方向に配列されている。なお、連通孔５１の配列位置は各側面ガイド部４４における稜線部４３ｒからスリット４１ｓの間に設定される。
【００２７】
図２において、各連通孔５１には、側面ガイド部４４の下面側で、配管（気体供給部）５２の一端が接続されている。各配管５２の他端は、ポンプやコンプレッサ等のエア供給源６１に接続され、このエア供給源６１から各配管５２を通してエア等の気体が各連通孔５１に供給される。
各連通孔５１から側面ガイド部４４の表面４４ｆに向かってエアが吹き出す。吹き出したエアが、側面ガイド部４４の表面４４ｆとその上のフィルムｆとの間に介在することで、フィルムｆを搬送するときに側面ガイド部４４の表面４４ｆとフィルムｆとの間に生じる摩擦抵抗を抑えることができる。
【００２８】
さらに、各配管５２には、エアの流通量を調整する流量調整部として調整弁５３が設けられている。各調整弁５３は、制御部５４によりその開度が自動的に調整され、側面ガイド部４４の表面４４ｆに開口する複数の連通孔５１におけるエアの吹出量の分布を調整することができる。
【００２９】
また、図１に示すように、フォーマ４に対してフィルムｆの送り方向上流側には、フィルムｆの片寄りや蛇行を検知する蛇行検知センサ（センサ）５５が設けられている。蛇行検知センサ５５は、例えばフィルムｆの幅方向の位置を検出して制御部５４に信号出力する。制御部５４では、蛇行検知センサ５５で検知されるフィルムｆの幅方向の位置や角度の変化から、フィルムｆの片寄りや蛇行を検出する。
【００３０】
制御部５４は、フィルムｆの片寄りや蛇行を検出した場合に、各配管５２の調整弁５３の開度を調整することで、複数の連通孔５１からのエア吹出量の分布を調整し、側面ガイド部４４の表面４４ｆとフィルムｆとの間に生じる摩擦抵抗を調整する。
具体的には、例えば、フィルムｆの幅方向の位置において摩擦抵抗が部分的に大きいと幅方向の一部の部位で他の部位よりもフィルムｆの送り速度が遅くなることがある。この場合、その部位に位置する連通孔５１から吹き出すエアの流量を増やすことで摩擦抵抗を小さくし、他の部位とのバランスを取ることができる。
また、摩擦抵抗が幅方向の他の部位よりも小さく、フィルムｆの送り速度が部分的に速くなっている部位では、その一の連通孔５１から吹き出すエアの流量を小さくして摩擦抵抗を増やし、他の部位とのフィルム走行のバランスを取ることもできる。
このようにして、フィルムｆの片寄りや蛇行が抑制される。
【００３１】
上述したように本実施形態によるフォーマ４と縦形製袋充填機１によれば、筒状部４１に対してフィルムｆの幅方向両側の各側面ガイド部４４にそれぞれ配列した連通孔５１から、ガイドスカート４２の表面とフィルムｆとの間にエアを送り込む。これによって、フィルムｆとガイドスカート４２との間に生じる摩擦抵抗を、フィルムｆの幅方向の全体で抑えることができる。
【００３２】
その結果、フィルムｆの幅方向における摩擦抵抗の分布のばらつきを調整することができ、フィルムｆを搬送する際にフィルムｆが幅方向に片寄ったり蛇行するのを抑えることができる。しかも、フォーマ４のガイドスカート４２の表面を手間とコストをかけて面粗さを小さく仕上げる必要性が低くなり、フォーマ４を低コストで製作することができる。
また、摩擦力の低減によってフィルムｆを搬送する力に対する抵抗が減るので、フィルムｆを送るためにロール８や繰出しベルト５で必要な駆動力が小さくて済み、駆動モータの消費電力が少なく省エネルギー化を図ることができる。
また、複数の連通孔５１から供給するエア流量を配管５２に設けた調整弁５３によって個別に調整することで、よりきめ細やかに摩擦抵抗の分布を調整することができる。
【００３３】
さらに、蛇行検知センサ５５でフィルムｆの片寄りを検出することで、制御部５４で複数の連通孔５１から吹き出すエアの流量を個別に且つ自動的に調整することができる。これにより、フォーマ４によってフィルムｆの片寄りや蛇行を確実に抑えてスムーズな搬送と筒状体の成形を行うことができる。
【００３４】
なお、本発明によるフォーマ４と縦形製袋充填機１は、上述した実施形態に限定されるものではなく、本発明の要旨を逸脱しない範囲で適宜の変更や置換等が可能である。以下に本発明の他の実施形態や変形例について説明するが、上述した実施形態と同一または同様な部材や部品には同一の符号を用いてその説明を省略する。
【００３５】
（第２の実施形態）
次に、本発明の第二実施形態によるフォーマ４Ａおよび縦形製袋充填機１について説明する。        
図５は、上述した縦形製袋充填機１の第二実施形態によるフォーマ４Ａを示す正面図である。図５において、縦形製袋充填機１に設けられたフォーマ４Ａの一対の側面ガイド部４４には板厚方向に貫通する複数の連通孔５１が所定間隔で形成されている。複数の連通孔５１は、例えば筒状部４１の略涙滴形状をなす上端部４１ｔ側の内縁部４４ａから外縁部４４ｂに向かって稜線部４３ｒに沿って形成されている。
各連通孔５１には、側面ガイド部４４の下面側に配管５２の一端が接続されている。
各配管５２にはエアの流通量を調整する調整弁５３が設けられている。各調整弁５３は、制御部５４によりその開度が自動的に調整され、側面ガイド部４４の表面４４ｆに設けた複数の連通孔５１からのエアの吹出量の分布を調整することができる。
【００３６】
また、各配管５２における調整弁５３の上流側には切換部として切換弁５７が接続されている。切換弁５７には、エア供給源６１に接続されたエア供給配管（気体供給部）５８と、真空ポンプ等の負圧源６２に接続されたエア吸引配管（負圧発生部）５９とが接続されている。切換弁５７は、制御部５４の制御によりエア供給配管５８およびエア吸引配管５９の一方を選択して配管５２に連通させる。
【００３７】
制御部５４によって、エア供給配管５８が配管５２に連通された場合には、エア供給源６１からエアが各連通孔５１に供給され、各連通孔５１から側面ガイド部４４の表面４４ｆとフィルムｆとの間にエアが吹き出される。これにより、側面ガイド部４４の表面４４ｆとフィルムｆとの間の摩擦抵抗が低減される。
また、エア吸引配管５９が配管５２に連通されたときには、負圧源６２で発生する負圧により、各連通孔５１で側面ガイド部４４上のフィルムｆを吸引する。これにより、側面ガイド部４４の表面４４ｆとフィルムｆとの間の摩擦抵抗を高めるよう調整できる。
ここで、各配管５２に設けられた切換弁５７の切換制御は、それぞれで個別に行うことができる。
【００３８】
制御部５４は、フォーマ４Ａに対してフィルムｆの送り方向上流側に設けられた蛇行検知センサ５５でフィルムｆの片寄りや蛇行を検知した場合には、その片寄りや蛇行の方向やその寸法等に応じ、各配管５２における調整弁５３の開度と切換弁５７による切り換えとを自動的に制御する。このようにして、複数の連通孔５１におけるエアの吹出量の分布を調整して、側面ガイド部４４の表面４４ｆとフィルムｆとの間に生じる摩擦抵抗の分布を調整する。また、必要に応じて、連通孔５１でフィルムｆを吸引することによって側面ガイド部４４の表面４４ｆとフィルムｆとの間の摩擦抵抗を部分的に高める。
【００３９】
具体的には、例えば、摩擦抵抗が部分的に大きいために幅方向の一部の部位で他の部位よりもフィルムｆの送り速度が遅くなっている場合、その部位に位置する連通孔５１から吹き出すエアの流量を増やすことで摩擦抵抗を小さくし、他の部位とのバランスを取る。
また、フィルムｆの摩擦抵抗が幅方向の他の部位よりも小さく、フィルムｆの送り速度が部分的に速くなっている部位では、調整弁５３によって連通孔５１からのエア吹き出し量を低減させてフィルムｆの送り速度を調整することができる。或いは、切換弁５７を切り換え、連通孔５１を通して側面ガイド部４４とフィルムｆとの間で吸引する。これにより、この部位での摩擦抵抗を増大させて、フィルムｆの幅方向の他の部位とのバランスを取ることもできる。
このようにして、フォーマ４Ａのガイドスカート４２上を搬送するフィルムｆの片寄りや蛇行を抑制できる。
【００４０】
上述したように本第二実施形態によるフォーマ４Ａおよび縦形製袋充填機１によれば、第一実施形態による作用効果に加えて、制御部５４によってエア供給源６１と負圧源６２のいずれかを配管５２に接続して調整弁５３によって連通孔５１から吹き出すエアと吸引する負圧とを選択して供給することができる。そのため、ガイドスカート４２の表面とフィルムｆとの間を負圧状態とすることで、ガイドスカート４２材とフィルムｆとの間の摩擦抵抗を増やし、フィルムｆの片寄りや蛇行をより効果的に抑えることができる。
また、切換弁５７で、エアの供給と負圧による吸引とを切り換えることで、ガイドスカート４２とフィルムｆとの間の摩擦抵抗の調整の自由度を高め、フィルムｆの片寄りや蛇行をより効果的に抑えることができる。
【００４１】
（その他の実施形態）
なお、本発明のフォーマ４、４Ａおよび縦形製袋充填機１は、図面を参照して説明した上述の各実施形態に限定されるものではなく、その技術的範囲において様々な変形例が考えられる。
例えば、上記第二実施形態で、切換弁５７を切り換えることによって、各連通孔５１でエアの吹出と吸引とを切り換えるようにしたが、吹出用の連通孔と吸引用の連通孔とを別々に設けるようにしてもよい。
【００４２】
また、上記第一実施形態や第二実施形態では、制御部５４により、調整弁５３や切換弁５７を自動制御するようにしたが、調整弁５３や切換弁５７は、手動で開度調整や開閉操作を行うようにしてもよい。
また、制御部５４による、調整弁５３や切換弁５７の自動制御は、フィルムｆを送りながら随時連続的に行ってもよいし、フィルムｆの幅や厚さ、材質等に応じ、フィルムｆのロット毎、品種毎等に、調整弁５３の開度や切換弁５７を切り換えるようにしてもよい。
これ以外にも連通孔５１の数や配置等は、適宜変更することができる。
【符号の説明】
【００４３】
１  縦形製袋充填機（縦形製袋機）
４、４Ａ  フォーマ
６  縦シーラ（縦シール部）
７  横シーラ（横シール部）
４１  筒状部
４２  ガイドスカート（ガイド部）
４４  側面ガイド部
５１  連通孔
５２  配管（気体供給部）
５３  調整弁（流量調整部）
５４  制御部
５５  蛇行検知センサ（センサ）
５７  切換弁（切換部）
５８  エア供給配管（気体供給部）
５９  エア吸引配管（負圧発生部）
ｆ  フィルム（包材）
【図１】
2017081573.tif 000003
【図２】
2017081573.tif 000004
【図３】
2017081573.tif 000005
【図４】
2017081573.tif 000006
【図５】
2017081573.tif 000007